(57)【要約】本発明は、サービス網により準備すべき通信サービスを決済するための方法であって、サービス網へのサービス利用者側のアクセスがサービス網に接続されているアクセス網を介して行われる方法に関するものである。簡単かつ確実な方法でこのようなサービス網により準備すべき通信サービスを決済し得るように、サービス利用希望に標識が対応付けられ、アクセス網からサービス利用希望および標識がサービス網へ伝送され、サービス網によりサービス利用希望に相応する希望されたサービスの提供がアクセス網の利用のもとに準備され、サービス網からサービスを決済するため標識を含む少なくとも１つのアクセス決済メッセージが決済ユニットに伝送され、アクセス網からアクセス網の利用を決済するため標識を含む少なくとも１つのアクセス決済メッセージが決済ユニットに伝送され、決済ユニットにより標識に基づいてサービス利用希望と関連して発生されるサービス決済メッセージ及びアクセス決済メッセージが認識され、共通に決済される。
2005503094.tif 000002
【特許請求の範囲】
【請求項１】
サービス網（７）により準備すべき通信サービスを決済するための方法であって、サービス網（２）へのサービス利用者側（５）のアクセスがサービス網（２）と接続されているアクセス網（１）を介して行われる方法において、
−アクセス網（１）と接続されている通信端末装置（５）のサービス利用希望（Ｄ）に標識（Ｋ）が対応付けられ、
−アクセス網（１）からサービス利用希望（Ｄ）および標識（Ｋ）がサービス網（２）へ伝送され、
−サービス網（２）によりサービス利用希望（Ｄ）に相応する希望されたサービスの提供がアクセス網（１）の利用のもとに準備され、
−サービス網（２）からサービスを決済するため標識（Ｋ）を含む少なくとも１つのサービス決済メッセージ（１８）が決済ユニット（２０）に伝送され、
−アクセス網（１）からアクセス網（１）の利用を決済するため標識（Ｋ）を含む少なくとも１つのアクセス決済メッセージ（２２）が決済ユニット（２０）に伝送され、
−決済ユニット（２０）により標識（Ｋ）に基づいてサービス利用希望（Ｄ）と関連して発生されるサービス決済メッセージ（１８）およびアクセス決済メッセージ（２２）が認識され、また
−決済ユニット（２０）によりこれらの決済メッセージ（１８）およびアクセス決済メッセージ（２２）が共通に決済される
決済方法。
【請求項２】
−アクセス網（１）における通信端末装置（５）のログオンの際にこのアクセス網（１）により通信端末装置（５）とサービス網（２）との間の少なくとも１つのサービス個別の接続（Ｖ）が構成されることによって、サービス網（２）へのサービス利用者側のアクセス（５）が実行され、
−サービス利用希望（Ｄ）がアクセス網（１）から前記の少なくとも１つの接続（Ｖ）を介してサービス網（２）に伝送され、
−標識（Ｋ）として、前記の少なくとも１つの接続（Ｖ）と結び付けられている標識（Ｋ）が使用され、また
−サービスの提供のためにアクセス網（１）の前記の少なくとも１つの接続（Ｖ）が利用される
ことを特徴とする請求項１記載の方法。
【請求項３】
決済メッセージ（１８、２２）にそれぞれ通信端末装置（５）の識別特徴（Ｉ- ＫＥＧ）が付加されることを特徴とする請求項１または２記載の方法。
【請求項４】
決済ユニット（２０）によりこれらの決済メッセージ（１８、２２）が時間的にサービスの提供の後に決済されることを特徴とする請求項１ないし３のいずれか１つに記載の方法。
【請求項５】
サービス利用希望（Ｄ）が通信プロトコルの１つの“Ｓｅｓｓｉｏｎ  Ｉｎｉｔｉａｔｉｏｎ  Ｐｒｏｔｏｃｏｌ”の利用のもとにサービス網（２）に伝送されることを特徴とする請求項１ないし４のいずれか１つに記載の方法。
【請求項６】
標識（Ｋ）がＧｏインタフェース利用のもとにサービス網（２）に伝送されることを特徴とする請求項１ないし５のいずれか１つに記載の方法。
【請求項７】
サービス網（２）によりサービスが通信端末装置（５）と別の通信端末装置（７）との間の電話接続の形態で準備されることを特徴とする請求項１ないし６のいずれか１つに記載の方法。
【請求項８】
サービス網（２）によりサービスが通信端末装置（５）へのデータ伝送（１２）の形態で準備されることを特徴とする請求項１ないし７のいずれか１つに記載の方法。
【請求項９】
通信端末装置（５）の運用者に、サービス提供（２）に対する支払額部分およびアクセス網（１）の利用に対する支払額部分を含む支払額が請求されることによって、サービス決済メッセージ（１８）およびアクセス決済メッセージ（２２）が共通に決済されることを特徴とする請求項１ないし８のいずれか１つに記載の方法。
【請求項１０】
サービス網（２）により準備すべき通信サービスを決済するための方法であって、サービス網（２）へのサービス利用者側（５）のアクセスがサービス網（２）と接続されているアクセス網（１）を介して行われる方法において、
−アクセス網（１）と接続されている通信端末装置（５）のサービス利用希望（Ｄ）にアクセス網（１）により標識（Ｋ）が対応付けられ、
−アクセス網（１）からサービス利用希望（Ｄ）がサービス網（２）に伝送され、
−アクセス網（１）の第１の検出ノード（ＳＧＳＮ）から、標識（Ｋ）を含むアクセス網メッセージ（３０）が、通信端末装置（５）に対応付けられている預金口座（ＧＫ）を管理する決済装置（ＳＩＰ- ＡＳ）に伝送され、
−アクセス網（１）から標識（Ｋ）がサービス網（２）に伝送され、
−サ−ビス網（２）の第２の検出ノード（Ｓ- ＣＳＣＦ）から、標識（Ｋ）を含むサービス網メッセージ（３２）が決済装置（ＳＩＰ- ＡＳ）に伝送され、
−決済装置（ＳＩＰ- ＡＳ）により、アクセス網メッセージ（３０）およびサービス網メッセージ（３２）により伝送される標識（Ｋ）に基づいて、第１（ＳＧＳＮ）および第２の検出ノード（Ｓ- ＣＳＣＦ）がサービス満足希望（Ｄ）と関連があることが認識され、
−決済装置（ＳＩＰ- ＡＳ）により検出ノード（ＳＧＳＮ、Ｓ- ＣＳＣＦ）の１つまたは複数に決済額の検出が委託され、
−サービス網（２）によりサービス利用希望（Ｄ）に相応する希望されたサービスの提供がアクセス網（１）の利用のもとに準備され、
−委託された検出ノード（Ｓ- ＣＳＣＦ）により決済額が検出され、また
−決済装置（ＳＩＰ- ＡＳ）により検出された決済額が預金口座（ＧＫ）を介して決済される
決済方法。
【請求項１１】
−アクセス網（１）における通信端末装置（５）のログオンの際にこのアクセス網（１）により通信端末装置（５）とサービス網（２）との間の少なくとも１つのサービス個別の接続（Ｖ）が構成されることによって、サービス網（２）へのサービス利用者側のアクセス（５）が実行され、
−サービス利用希望（Ｄ）がアクセス網（１）から少なくとも１つの接続（Ｖ）を介してサービス網（２）に伝送され、
−標識（Ｋ）として、少なくとも１つの接続（Ｖ）と結び付けられている標識（Ｋ）が使用され、また
−サービスの提供のためにアクセス網（１）の少なくとも１つの接続（Ｖ）が利用される
ことを特徴とする請求項１０記載の方法。
【請求項１２】
アクセス網メッセージ（３０）およびサービス網メッセージ（３２）にそれぞれ通信端末装置（５）の識別特徴（Ｉ- ＫＥＧ）が付加されることを特徴とする請求項１０または１１記載の方法。
【請求項１３】
委託された検出ノード（ＳＧＳＮ、Ｓ- ＣＳＣＦ）により決済額が付随してサービスを提供するために検出されることを特徴とする請求項１０ないし１２のいずれか１つに記載の方法。
【請求項１４】
サービス利用希望（Ｄ）が通信プロトコルの１つの“Ｓｅｓｓｉｏｎ  Ｉｎｉｔｉａｔｉｏｎ  Ｐｒｏｔｏｃｏｌ”（ＳＩＰ）の利用の元にサービス網（２）に伝送されることを特徴とする請求項１０ないし１３のいずれか１つに記載の方法。
【請求項１５】
標識（Ｋ）がＧｏインタフェース利用のもとにサービス網（２）に伝送されることを特徴とする請求項１０ないし１４のいずれか１つに記載の方法。
【請求項１６】
サービス網（２）によりサービスが通信端末装置（５）と別の通信端末装置（７）との間の電話接続の構成の形態で準備されることを特徴とする請求項１０ないし１５のいずれか１つに記載の方法。
【請求項１７】
サービス網（２）によりサービスが通信端末装置（５）へのデータ伝送（１２）の形態で準備されることを特徴とする請求項１０ないし１６のいずれか１つに記載の方法。
【請求項１８】
決済装置（ＳＩＰ- ＡＳ）により検出ノード（ＳＧＳＮ、Ｓ- ＣＳＣＦ）の１つ又は複数への決済額の検出の委託がダイナミックにサービス提供の間に変更され得ることを特徴とする請求項１０ないし１７のいずれか１つに記載の方法。
【発明の詳細な説明】
【技術分野】
【０００１】
本発明は、サービス網により準備すべき通信サービスを決済するための方法であって、サービス網へのサービス利用者側のアクセスがサービス網と接続されているアクセス網を介して行われる方法に関するものである。
【０００２】
サービス利用者に対し通信サービスを準備し、またこれらのサービスを認識もするサービス網が、アクセス網を介してサービス利用者の通信端末装置と接続されていることは、たとえば第３世代の移動無線網（たとえばＵＭＴＳ網）により一般に知られている。サービス網はたとえばＵＭＴＳ通信網のＩＭドメインまたはＩＭサブシステムであってよく、アクセス網はたとえばＧＰＲＳ網として構成することができる。
【０００３】
本発明の課題は、簡単かつ確実な方法でこのようなサービス網により準備すべき通信サービスの決済をし得る方法を提供することである。
【０００４】
この課題は、本発明によれば、冒頭にあげた種類の方法において、アクセス網と接続されている通信端末装置のサービス利用希望に標識が対応付けられ、アクセス網からサービス利用希望および標識がサービス網へ伝送され、サービス網によりサービス利用希望に相応する希望されたサービスの提供がアクセス網の利用のもとに準備され、サービス網からサービスを決済するため標識を含む少なくとも１つのサービス決済メッセージが決済ユニットに伝送され、アクセス網からアクセス網の利用を決済するため標識を含む少なくとも１つのアクセス決済メッセージが決済ユニットに伝送され、決済ユニットにより標識に基づいてサービス利用希望と関連して発生されるサービス決済メッセージおよびアクセス 決済メッセージが認識され、また決済ユニットによりこれらのサービス決済メッセージおよびアクセス決済メッセージが共通に決済されることにより解決される。その際有利に、決済ユニットによりサービス決済メッセージおよびアクセス決済メッセージが共通に決済され、その結果通信端末装置の利用者（サービス利用者）がそのサービス利用希望に対してただ１つの決済を得、それによってサービス利用者に対して特に簡単な決済が行われる。
【０００５】
本方法は、アクセス網における通信端末装置のログオンの際にこのアクセス網により通信端末装置とサービス網との間の少なくとも１つのサービス個別の接続が構成され、サービス利用希望がアクセス網から少なくとも１つの接続を介してサービス網に伝送され、標識として、少なくとも１つの接続と結び付けられている標識が使用され、またサービスの提供のためにアクセス網の少なくとも１つの接続が利用されることによって、サービス網へのサービス利用者側のアクセスが実行されるように構成することができる。この際、標識として、接続と結び付けられる標識が使用されると特に有利である。すなわちサービス利用希望およびサービス提供と関連して生ずるデータは接続を介してアクセス網を通して運ばれ、またこうして特に簡単な方法で希望されたサービスと結び付けることができる。
【０００６】
本発明による方法は、決済メッセージに通信端末装置のそれぞれ識別特徴が付加されるように構成することもできる。この際、決済ユニットに直接情報が通信端末装着を介して供給され、その結果決済ユニットがこれらの情報たとえば標識およびサービス利用希望への標識の対応付けを介して求めなくてよく、特に有利である。
【０００７】
本方法は、決済ユニットによりこれらの決済メッセージが時間的にサービスの提供の後に決済されるように構成することもできる。それにより有利な仕方で本方法は特にサービス提供後の支払、いわゆる“ポストペイド支払い”に適している。
【０００８】
本発明による方法はまた、サービス利用希望が前記の通信プロトコルの１つの“Ｓｅｓｓｉｏｎ  Ｉｎｉｔｉａｔｉｏｎ  Ｐｒｏｔｏｃｏｌ”の利用の元にサービス網に伝送されるようにも実施することができる。
【０００９】
本発明による方法は、標識がＧｏインタフェース利用のもとにサービス網に伝送されるように構成されていてもよい。
【００１０】
本発明による方法は、サービス網によりサービスが通信端末装置と別の通信端末装置との間の電話接続の構成の形態で準備されるように構成することもできる。それにより本発明による方法は、特に２つの端末装置間の電話サービス（たとえばオーディオ電話、ビデオ電話）の実行のために適している。
【００１１】
本発明による方法は、サービス網によりサービスが通信端末装置へのデータ伝送の形態で準備されるように構成することもできる。それにより本発明による方法は、利用者に特定の情報内容が伝達されるサービスであるいわゆるコンテンツサービスにも適している。
【００１２】
本発明による方法は、通信端末装置の運用者に、サービス提供に対する支払額部分およびアクセス網の利用に対する支払額部分を含む支払額が請求されることによって、サービス決済メッセージおよびアクセス決済メッセージが共通に決済されるように構成することもできる。この構成は特に、通信端末装置の運用者（利用者）が利用されるサービスあたりただ１つの支払額を請求されるという利点を有し、その際この支払額はサービス提供に対する支払額部分もアクセス網の利用に対する支払額部分も含んでいる。支払額部分への支払額の分配は、その後の時点で決済ユニットの運用者により行うことができる。即ち、どのように支払額がたとえばサービス網の運用者およびアクセス網の運用者に分配すべきかは契約により規定することができる。
【００１３】
前記の課題は同じく本発明により、冒頭にあげたような方法において、アクセス網と接続されている通信端末装置のサービス利用希望にアクセス網から標識が対応付けられ、アクセス網からサービス利用希望がサービス網へ伝送され、アクセス網の第１の検出ノードから、標識を含むアクセス網メッセージが、通信端末装置に対応付けられている預金口座を管理する決済装置に伝送され、アクセス網から標識がサービス網へ伝送され、アクセス網の第２の検出ノードから、標識を含むアクセス網メッセージが決済装置に伝送され、決済装置により、アクセス網メッセージおよびサービス網メッセージにより伝送される標識に基づいて、第１および第２の検出ノードがサービス満足希望と関連があることが認識され、決済装置により検出ノードの１つまたは複数に決済額の検出が委託され、サービス網によりサービス利用希望に相応する希望されたサービスの提供がアクセス網の利用のもとに準備され、委託された検出ノードにより決済額が検出され、また検出された決済額が決済装置により預金口座を介して決済されることにより解決される。この際、検出ノードのどれが決済額の検出を委託されるかが決済装置により決定されるようにすると特に有利であり、その結果決済が希望されない網に対してその検出ノードが決済額の検出を委託されないことにより決済を阻止することができる。決済装着は特定の網（例えばアクセス網）に対する決済をいわ“スイッチオフ”することもできる。
【００１４】
本発明による方法は、アクセス網における通信端末装置のログオンの際にこのアクセス網により通信端末装置とサービス網との間の少なくとも１つのサービス個別の接続が構成され、サービス利用希望がアクセス網から少なくとも１つの接続を介してサービス網に伝送され、標識として、少なくとも１つの接続と結び付けられている標識が使用され、またサービスの提供のためにアクセス網の少なくとも１つの接続が利用されることによって、サービス網へのサービス利用者側のアクセスが実行されるように構成することができる。
【００１５】
本発明による方法においては、決済メッセージにそれぞれ通信端末装置の識別特徴が付加されるようにすることもできる。
【００１６】
本発明による方法は、委託された検出ノードにより決済額が続いてサービスを提供するために検出されるように構成することもできる。本発明による方法はそれにより預金口座（“プリペイドチャージング”）を介しての決済の際に有利に応用することができる。なぜならば、このような預金口座では決済が直接にサービスの提供の際に行われなければならないからである。
【００１７】
本発明による方法は、サービス利用希望が通信プロトコルの１つの“Ｓｅｓｓｉｏｎ  Ｉｎｉｔｉａｔｉｏｎ  Ｐｒｏｔｏｃｏｌ”の利用のもとにサービス網に伝送されるように構成することもできる。
【００１８】
本発明による方法は、標識がＧｏインタフェース利用のもとにサービス網に伝送されるように実施することもできる。
【００１９】
本発明による方法では、サービス網によりサービスが異なる通信端末装置間の電話接続の構成の形態で準備することができ、或いはサービスがサービス利用者の通信端末装置へのデータ伝送の形態で準備することができる。それによって本発明による方法は、電話サービスの決済及びいわゆる“コンテンツサービス”の決済に有利に適している。
【００２０】
本発明による方法は、決済装置により検出ノードの委託が決済額の検出と共にダイナミックにサービス提供の間に変更され得るように実施することもできる。その際決済の形式がサービス提供の間に、たとえば現象の生起の際に、または時間に関係して、変更できるようにすると有利である。
【００２１】
本発明をさらに説明するため、図１には概略的に通信網による本発明による方法の経過の実施例が、また図２には本発明による方法の別の経過の実施例が示されている。
【００２２】
図１の左部にはアクセス網１が、また図１の右部にはサービス網２が示されている。ここでアクセス網とは、サービス利用者にサービス網にアクセスする可能性を与える通信網をいう。サービス網とは、サービス利用者に対する通信サービスを準備しまたは提供する通信網をいう。その際サービス網はいわゆるベースネットワークサービスを可能にする（これらはたとえば利用者認証、移動性管理、特定の伝送の質（サービス品質）の保証、支払サービスおよびインターワーキングサービス（たとえばルーティングまたはローミングのような））。サービス網は同じく情報伝送サービス、ビデオ・オン・デマンド又はゲームのような、いわゆるエンドユーザーサービスを提供し得る。しかし、このようなエンドユーザーサービスは、サービス網と接続されている別のサービス提供者によってもサービス利用者のために用意することができる。アクセス網の例はＧＰＲＳ網（ＧＰＲＳ＝Ｇｅｎｅｒａｌ  Ｐａｃｋｅｔ  Ｒａｄｉｏ  Ｓｅｒｖｉｃｅ）、ワイヤレスＬＡＮ（Ｌｏｃａｌ  Ａｒｅａ  Ｎｅｔｗｏｒｋ）またはケーブル網である。サービス網の例は第３世代ＵＭＴＳ（ＵＭＴＳ＝Ｕｎｉｖｅｒｓａｌ  Ｍｏｂｉｌ  Ｔｅｌｅｃｏｍｍｕｎｉｃａｔｉｏｎｓ  Ｓｅｒｖｉｃｅ）の移動無線網に利用される、ＩＭＳ網（ＩＭＳ＝ＩＭ  Ｓｕｂｓｙｓｔｅｍ）とも呼ばれるＩＭドメイン網（ＩＭ＝ＩＰマルチメディア）である。
【００２３】
このようなサービス網において、たとえばタイムベースの支払が行われ得る、すなわち通信接続がそれらの長さに応じて（たとえば１０秒クロックで）決済される。アクセス網においては例えばボリュームベースの支払が行われ得る、すなわち、アクセス網を通じて伝送されたデータがその（たとえばメガバイトで示された）データボリュームに相応して決済される。
【００２４】
通信端末装置５からサービス網と接続されているサービスサーバー７のサービスが要求されるべきであれば、通信端末装置５からサービス利用希望Ｄがアクセス網１に送られる。（たとえばコンテンツプロバイダーに対応付けられていてよいサービスサーバー７の代わりに、もしサービスが例えばビデオ電話の実行にあるならば、他の通信網加入者も存在し得る。）
【００２５】
サービス利用希望ＤはたとえばＳＩＰプロトコル（ＳＩＰ＝Ｓｅｓｓｉｏｎ  Ｉｎｉｔｉａｔｉｏｎ  Ｐｒｏｔｏｃｏｌ）に従って構成されたメッセージ“ＳＩＰ-Ｉｎｖｉｔｅ”であってよい。サービス利用希望Ｄはサービスに対応付けられているアドレス、たとえばサービスに対応付けられているＳＩＰ-ＵＲＬ（ＵＲＬ＝Ｕｎｉｆｏｒｍ  Ｒｅｓｓｏｕｒｃｅ  Ｌｏｃａｔｏｒ）またはサービス電話番号を含んでいる。アドレス網により既に通信端末装置のログオンの際に通信端末装置５とサービス網２との間の接続Ｖ（いわゆる“ＰＤＰ- Ｃｏｎｔｅｘｔ”（ＰＤＰ＝Ｐａｃｋｅｔ  Ｄａｔａ  Ｐｒｏｔｏｃｏｌ）が形成される。この接続Ｖは通信端末装置５を“Ｒａｄｉｏ  Ｎｅｔｗｏｒｋ  Ｓｙｓｔｅｍ”ＲＮＳを経て、また中継局ＳＧＳＮ（ＳＧＳＮ＝Ｓｅｒｖｉｎｇ  ＧＰＲＳ  Ｓｕｐｐｏｒｔ  Ｎｏｄｅ）を経て、接続ノードＧＧＳＮ（ＧＧＳＮ＝Ｇａｔｅｗａｙ  ＧＰＲＳ  Ｓｕｐｐｏｒｔ  Ｎｏｄｅ）と接続する。この接続Ｖは一義的な識別番号に対応付けられている（いわゆるＧＰＲＳ Ｃｈａｒｇｉｎｇ ＩＤ）。この番号は接続（ＰＤＰ- Ｃｏｎｔｅｘｔ）をそれぞれ使用される接続ノードＧＧＳＮに関して一義的に識別する。接続ノードＧＧＳＮ（“ＧＧＳＮ Ａｄｄｒｅｓｓ”）のアドレスと一緒に、ＧＰＲＳ Ｃｈａｒｇｉｎｇ ＩＤは、接続Ｖおよび接続Ｖを経て移送されるサービス利用希望Ｄに対応付けられるグローバルに一義的な標識Ｋをも形成する。（標識＝ＧＰＲＳ Ｃｈａｒｇｉｎｇ ＩＤおよびＧＧＳＮ Ａｄｄｒｅｓｓの組み合わせ）  こうしてアドレス網に、通信端末装置５のサービス利用希望Ｄに属するデータが接続Ｖを経て伝送されるという情報が存在している。
【００２６】
サービス利用希望Ｄはさらにアクセス網１の接続ノードＧＧＳＮからＳＩＰインタフェースを経て受信ノードＰ-ＣＳＣＦ（Ｐ-ＣＳＣＦ＝Ｐｒｏｘｙ-Ｃａｌｌ  Ｓｅｓｓｉｏｎ  Ｃｏｎｔｒｏｌ  Ｆｕｎｃｔｉｏｎ）に伝送される。この受信ノードＰ-ＣＳＣＦからサービス利用希望はさらに制御ノードＳ-ＣＳＣＦ（Ｓ- ＣＳＣＦ＝Ｓｅｒｖｉｎｇ- Ｃａｌｌ  Ｓｅｓｓｉｏｎ  Ｃｏｎｔｒｏｌ  Ｆｕｎｃｔｉｏｎ）に伝送される。制御ノードＳ-ＣＳＣＦはそれに基づいてサービスサーバー７へのＳＩＰ接続８を構成し、その結果さらに通信端末装置５とサービスサーバー７との間の通しの信号伝送接続が生ずる。サービスサーバー７はいまや通信端末装置５に対する希望されるサービスを提供することができ、このサービスの提供はサービス網２により準備される。
【００２７】
接続ノードＧＧＳＮから別の接続９を介して標識Ｋがサービス網２の受信ノードＰ- ＣＳＣＦに伝送される。接続９はたとえば、印刷物“３ＧＰＰ  ＴＳ  ２３．２０７”Ｖ５．０．０（２００１- ０６）；Ｔｅｃｈｈｎｉｃａｌ  Ｓｐｅｃｉｆｉｃａｔｉｏｎ；第３世代  Ｐａｒｔｎｅｒｓｈｉｐ  Ｐｒｏｊｅｃｔ；Ｔｅｃｈｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；Ｅｎｄ-ｔｏ-Ｅｎｄ  ＱｏＳ  Ｃｏｎｃｅｐｔ  ａｎｄ  Ａｒｃｈｉｉｔｅｃｙｕｒｅ；（Ｒｅｌｅａｓｅ  ５）、特に第１５〜１７頁に記載されているように、“Ｇｏインタフェース”を使用して実現することができる。受信ノードＰ-ＣＳＣＦはこの標識Ｋを制御ノードＳ-ＣＳＣＦに伝送する。そのための１つの可能性は、受信ノードＰ-ＣＳＣＦが標識Ｋをサービス利用希望Ｄに付加し、また標識Ｋがサービス利用希望Ｄと一緒に制御ノードＳ-ＣＳＣＦに伝送されることである。しかしまた、標識Ｋが別のメッセージを使用して受信ノードＰ-ＣＳＣＦから制御ノードＳ- ＣＳＣＦに伝送されることも可能である。いまやサービス網２に（たとえば制御ノードＳ-ＣＳＣＦに）、通信端末装置５のサービス利用希望Ｄに標識Ｋが対応付けられているという情報が存在している。
【００２８】
サービスサーバー７により希望されたサービスを提供するため、鎖線により示されている利用データ接続１２が通信端末装置５とサービスサーバー７との間に形成される。この利用データ接続１２は通信端末装置５からアクセス網１の接続Ｖを経てサービス網２に延びている。しかし、接続ノードＧＧＳＮから利用データは信号化のために使用されるＳＩＰ-メッセージ（たとえばサービス利用希望）とは異なる他の経路を経て移送される。図には、どのように利用データが種々のルータ１４および１６を経てサービスサーバー７に到達し得るか、またはサービスサーバーから通信端末装置５に到達し得るか、が示されている。ルータ１６はたとえばファイアウォールサーバーであってよい。
【００２９】
この実施例においては、希望されるサービスは、サービスサーバー７がビデオフィルムを利用データ接続１２を経て通信端末装置５に伝送することにあるものとする。サービスを決済するため、制御ノードＳ-ＣＳＣＦはサービス決済メッセージ１８（いわゆる支払チケット）を決済ユニット２０に送る。サービス決済メッセージ１８は決済すべきサービスに関する情報とならんで標識Ｋおよび通信端末装置５の識別特徴Ｉ-ＫＥＧ（たとえばそのＭＳＩＳＤＮ）を含んでいる。このサービス決済メッセージ１８においてサービスサーバー７によるフィルム提供のサービスならびにサービスサーバー７からアクセス網ＧＰＲＳまでのフィルム利用データ伝送が決済される。フィルム利用データはアクセス網１から通信端末装置５にトランスペアレント伝送される。アクセス網の見地から特定のデータ量を有するデータ伝送が行われる。アクセス網によるこの移送サービスを決済するため、交換局ＳＧＳＮは、同じく標識Ｋおよび通信端末装置５の識別特徴Ｉ-ＫＥＧを含んでいるアクセス 決済メッセージ２２を決済ユニット２０に送る。決済メッセージ２２はいわゆる支払チケットであってよい。決済ユニット２０はサービス決済メッセージ１８とならんでアクセス決済メッセージ２２をも記憶する。それぞれ交換局ＳＧＳＮからも制御ノードＳ-ＣＳＣＦからもサービスのサービス決済のために複数の決済メッセージが決済ユニット２０に送られる。サービス提供後の時点で決済ユニット２０はそのなかに記憶されているすべてのサービスメッセージのもとで、通信端末装置５に対するフィルム供給サービスと関連する決済メッセージを求める。これは、決済ユニット２０が標識Ｋを含むすべての決済メッセージを求めることによって行われる。さらに決済ユニット２０はサービス決済メッセージ１８、アクセス決済メッセージ２２および事情によってはサービス利用希望Ｄと関連して生ずる決済メッセージを、決済ユニットがこれらの決済メッセージに含まれている決済情報をまとめ、それから支払額を決定し、この支払額を通信端末装置５の運用者の勘定につけることによって、決済することができる。この支払額はフィルム提供のサービス、サービスサーバー７からアクセス網１までのフィルムの伝送のサービスに対する支払額部分と、通信端末装置５にフィルムデータをトランスペアレント伝送するためアクセス網１の利用に対する支払額部分をも含んでいる。サービス決済のこの形式はポストペイド決済とも呼ばれる。なぜならば、本来の決済はサービスの提供後に、また一般に通信端末装置５とサービスサーバー７との間の通信接続の解除の後に行われるからである。
【００３０】
図２により、希望されたサービスのいわゆるプリペイド決済を行う本発明による方法の別の実施例を詳細に説明する。図２には左側に再びアクセス網１が、また右側に図１からのサービス網２が示されている。しかし、図１と異なり、ここで説明する方法では、図１のポストペイド決済ユニット２０は使用されず、サービス網２は、ＳＩＰアプリケーションサーバーとして実現されている決済装置ＳＩＰ-ＡＳが使用されている（ＳＩＰ-ＡＳ＝ＳＩＰ- Ａｐｐｌｉｃａｔｉｏｎ  Ｓｅｒｖｅｒ）。このようなＳＩＰアプリケーションサーバーはプリペイドサーバーとも呼ばれ、通信端末装置５に対応付けられている先払いされた預金口座ＧＫを管理する。しかし、このようなＳＩＰアプリケーションサーバーはこのような決済装置の１つの例に過ぎず、たとえばそれとは異なる構成のプリペイドサーバーも使用することができる。プリペイド決済の際には通信端末装置５の運用者が前もって特定の預金口座を通信端末装置５に対応付けられている預金口座ＧＫに入金し、サービスの提供の間に、すなわち通信接続が通信端末装置５とサービスサーバー７との間に形成されており、例えばデータがサービスサーバー７から通信端末装置５へ伝送される間に、例えば金、預金秒または預金メガバイトが預金口座から差し引かれることによって、サービスの進行に応じて預金口座残高が減ぜられる。
【００３１】
この実施例における本発明による方法の開始は図１と関連して説明された実施例に相応する。すなわち通信端末装置５のログオンの際、通信端末装置５とサービス網２との間の接続Ｖが形成される。この接続およびサービス利用希望Ｄに標識Ｋが既知の方法で対応付けられ、サービス利用希望Ｄが既知の方法で通信端末装置５からラジオネットワークシステムＲＮＳを経て交換局ＳＧＳＮまで導かれる。交換局ＳＧＳＮにはいまや、通信端末装置ＫＥＧから通信接続が形成されるべきであることが知られている。交換局ＳＧＳＮには、どのような目的でこの通信接続が形成されるべきであるかは知られていない。なぜならば、接続Ｖを経て通信端末装置５のメッセージが単にトランスペアレント伝送され、アクセス網１の網要素により評価されないからである。しかしアクセス網１には、接続Ｖが標識Ｋに対応付けられていることも知られている。アクセス網１の交換局ＳＧＳＮはいまや、たとえばＣＡＰ標準に従って構成されていてよい（ＣＡＰ＝Ｃａｍｅｌ  Ａｐｐｌｉｃａｔｉｏｎ  Ｐｒｏｔｏｃｏｌ）アクセス網メッセージ３０をサービス網２の決済装置ＳＩＰ-ＡＳに送る。このようなメッセージ３０は“アクセスチャージングメッセージ”とも呼ばれる。アクセス網メッセージ３０により標識Ｋおよび通信端末装置５の識別特徴Ｉ-ＫＥＧが決済装置ＳＩＰ-ＡＳ（プリペイドサーバー）に伝送される。プリペイドサーバーＳＩＰ-ＡＳにいまや、識別特徴Ｉ-ＫＥＧを介して識別可能な通信端末装置５が呼び出しを構成したいこと、またこの呼び出しが標識Ｋにより識別可能であることが知られている。
【００３２】
その後にサービス利用希望Ｄは既知の方法で接続Ｖを経て、また接続ノードＧＧＳＮを経てサービス網２の受信ノードＰ-ＣＳＣＦに伝送される。受信ノードＰ-ＣＳＣＦはいまやアクセス網１において、受信ノードにより受信されたサービス利用希望Ｄに対応付けられている標識Ｋを質問する。アクセス網１の接続ノードＧＧＳＮは接続９を介して標識Ｋを受信ノードＰ-ＣＳＣＦに伝送する。受信ノードＰ-ＣＳＣＦはさらにこの標識をたとえばサービス利用希望Ｄに付加し、サービス利用希望メッセージＤを標識と一緒に制御ノードＳ-ＣＳＣＦに伝送する。しかし、受信ノードＰ-ＣＳＣＦが標識Ｋを特別なメッセージを使用して制御ノードＳ-ＣＳＣＦに伝達すること可能である。
【００３３】
さらに制御ノードＳ-ＣＳＣＦがサービス網メッセージ３２を決済装置ＳＩＰ-ＡＳに送り、このサービス網メッセージ３２は標識Ｋおよび通信端末装置ＫＥＧの識別特徴Ｉ-ＫＥＧを含んでいる。このようなメッセージは、“コンテンツチャージングメッセージ”とも（または、サービスがたとえばビデオ電話であれば、“サービスチャージングメッセージ”とも）呼ばれる。決済装置ＳＩＰ-ＡＳはサービス網メッセージ３２により、識別特徴Ｉ-ＫＥＧを介して識別可能な通信端末装置５が特別なサービス（ここではたとえばフィルム供給サービス）を利用したい、またこのサービス利用希望に標識Ｋが対応付けられているという情報を受ける。こうして決済ユニットＳＩＰ-ＡＳは、アクセス網（すなわちＳＧＳＮ）およびサービス網（すなわちＳ-ＣＳＣＦ）のどの個所またはノードにおいてまさにこのフィルム供給サービスの提供の間に、預金口座を介して決済されるべき決済額が生じ得るかの情報を与える。すなわち交換局ＳＧＳＮは、アクセス網に生ずる決済額を検出し、決済装置ＳＩＰ-ＡＳに伝達する立場にあるアクセス網の第１の検出ノードと呼ばれ得る。制御ノードＳ-ＣＳＣＦはサービス網に生ずる決済額を検出し、決済装置ＳＩＰ-ＡＳに伝達する立場にあるサービス網の第２の検出ノードと呼ばれ得る。
【００３４】
プリペイドサーバーは、第１の検出ノードおよび第２の検出ノードがサービス利用希望Ｄと接続していること、またこれら両ノードが、サービス利用希望Ｄにより呼び出すべきサービスの支払（決済）のためのデータを集める立場にあることを認識する。
【００３５】
この認識のためには、アクセス網メッセージ３０およびサービス網メッセージ３２が標識をプリペイドサーバーに伝送し、それによってプリペイドサーバーが、その後に両“チャネル”に到着する決済額（支払要求）をサービス提供（“セション”）に対応付ける立場にあるようにすれば、充分である。
【００３６】
（図２には示されていない）別の例でサービスサーバー７と通信端末装置５との間のサービス提供にもう１つの別の網（たとえば別のアクセス網または別のサービス網）が関与しているならば、この別の網に存在している第３の検出ノードもアクセス網メッセージまたはサービス網メッセージに類似に構成されたメッセージを決済装置ＳＩＰ-ＡＳに送り、それに基づいて決済装置に、決済額が現れる得る３つの可能な検出ノードが存在することが知られることになる。
【００３７】
現在のフィルム供給サービスに対して、決済装置ＳＩＰ-ＡＳに、例えばサービス網の第２の検出ノードにより検出された決済額のみが預金口座から差し引かれるべきことが知られている。この情報はたとえば、決済装置ＳＩＰ-ＡＳのなかのリストに記憶されていてよく、このリストは利用可能なサービスに対して、このようなサービスに対するどの検出ノードから決済額が検出され、決済装置により考慮に入れられるべきかをリストアップする。このリストの記入はサービスサーバー７により提供されるフィルム供給サービスに対する例として、サービス網２の決済額のみが考慮に入れられるべきであり、その間にアクセス網１により、その第１の検出ノードから決済額が検出されず、また決済の際に預金口座が考慮に入れられるべきであることを指摘する。
【００３８】
換言すると、支払はアクセス網により完全に“スイッチオフ”されなければならず、その間は支払または決済のみがサービス網により行われなければならない。このことは種々の方法で実現することができる。
【００３９】
例１：プリペイド支払が、決済装置（プリペイドサーバー）ＳＩＰ-ＡＳにより預金口座に存在している預金の特定の部分が検出ノードに送られ、検出ノードからサービス提供の間に絶えずこの預金部分の消費が監視され、また場合によっては預金の新しい部分が決済装置により要求されるように行われるならば、このような方法で動作する検出ノードが決済額の検出を、預金部分（より正確に言えば、預金部分に関する情報）を伝達されることにより、委託され得る。この応用例は、決済装置ＳＩＰ-ＡＳが制御ノードＳ-ＣＳＣＦにのみ預金の部分に関する情報を（たとえば“２分フィルム伝送に関する預金”の形態で）送ることを意味する。それと異なって交換局ＳＧＳＮは預金の部分を割り当てられない。それに基づいて制御ノードＳ-ＣＳＣＦ、従ってまたサービス網２、のみが決済額を検出し、またこの決済額のみが預金口座から支払われ、その間にアクセス１による支払または決済はいわば“スイッチオフ”されており、アクセス網１によっては決済額が生じない。
【００４０】
例２：プリペイド支払が、検出ノードがサービスの提供の間にメッセージを支払パルスに類似して決済装置ＳＩＰ-ＡＳに送り、この決済装置がこのような支払パルスを受けた際に特定の額を預金口座から支払うように機能することも同じく可能である。この場合、決済装置ＳＩＰ-ＡＳは、制御ノードＳ-ＣＳＣＦから決済装置に伝送される“決済パルス”のみは考慮に入れるが、交換局ＳＧＳＮに由来するような決済パルスは考慮に入れない。従って、この場合にも、アクセス網１による決済額の決済は失効させられ、サービス網２のみがまさに提供すべきサービスに対して決済額を決済し得る。
【００４１】
検出ノードの選択（“スイッチオンおよびスイッチオフ”）はサービス提供の間に実時間で行われる。
【００４２】
フィルム供給サービスの利用データは、図１と関連して説明されたように、サービス提供の際にサービスサーバー７から通信端末装置５に伝送される。
【００４３】
サービス網により準備された通信サービスは、たとえばサービス網２の外に存在するサービスサーバー（図１および２中のサービスサーバー７のような）から提供され得る。即ち、サービス網２はこの場合にはサービスサーバー７と通信端末装置５との間の通信接続の構成の準備に対しておよびサービスの決済に対してのみ権限を持つ。しかし、このようなサービスを提供するサーバーが直接サービス網のなかに位置しており、こうしてサービスがサービス網２により準備されるだけでなく提供もされることも同じく可能である。すなわちサービス網は利用者に対してサービスを仲介し、またはサービスを提供し得る。
【００４４】
どのように決済装置により検出ノードへの決済額の検出の委託がダイナミックにサービス提供の間に変更され得るかの１つの例は下記の場合である。即ち、フィルム伝送サービスの際には最初のフィルム分が利用者に無償で提供されなければならない。従って、フィルム伝送の開始時には検出ノードはどれも決済額の検出を委託されない。フィルム走行時間の最初の分の経過後に初めて、たとえば第２の検出ノードＳ-ＣＳＣＦが決済額の検出を委託される。
【００４５】
以上に、複数の通信網の利用のもとに準備しかつ提供されるサービスの際にも通信端末装置に対してこれらのサービスの決済を行い得る複数の方法が説明された。即ち、
ａ）たとえば複数の網からの決済要求にもかかわらずただ１つの決済合計が通信端末装置ＫＥＧに考慮に入れられる（このことは特にポストペイド決済方法に該当する）。
ｂ）選択された網のみが各サービスに対する額を決済し得る。なぜならば、他の網の決済はいわばスイッチオフされるからである（その１つの例は図２に関連して説明されたプリペイド- サービスに関する決済である）。種々の通信網の運用者間の事情によっては契約によって定められた金銭上の精算（“Ｉｎｔｅｒ- Ｏｐｅｒａｔｏｒ- Ｃｌｅａｒｉｎｇ”）はその後の時点で行われ得る。たとえば、支払が特定のサービスの際にスイッチオフされた通信網がサービスに対して支払を受ける網の運用者から金銭上の精算を得ることが可能である。
【００４６】
以上の方法は主として、サービスの決済をカスタマの観点から（すなわち通信端末装置５の観点から）本質的により簡単にかつより分かり易く構成することに寄与する。特にカスタマは、たとえば単一のサービスの利用に対して、１つの通信網からの決済ポストのみは考慮に入れるが、複数の通信網からの決済ポストは考慮に入れず、それによってたとえば決済コスト又は記帳コストも節減することができる。
【００４７】
上述の方法はたとえば下記の形式の決済または支払に応用可能である（“ｃｈａｒｇｉｎｇ  ｌａｙｅｒｓ”）：“Ａｃｃｅｓｓ  ｃｈａｒｇｉｎｇ”、“Ｓｅｒｖｉｃｅ  ｃｈａｒｇｉｎｇ”および“Ｃｏｎｔｅｎｔ  ｃｈａｒｇｉｎｇ”に対して。Ａｃｃｅｓｓ  ｃｈａｒｇｉｎｇとは、アクセス網、たとえばＧＰＲＳ網において行われる支払をいう。Ｓｅｒｖｉｃｅ  ｃｈａｒｇｉｎｇはたとえば、たとえばビデオ電話のようなサービスを支払うため、ＩＭＳに応用される。Ｃｏｎｔｅｎｔ  ｃｈａｒｇｉｎｇとは、情報、たとえばウェブサイトまたはすべての種類の品物、の購入に対する支払をいう。個々の“ｃｈａｒｇｉｎｇ  ｌｅｖｅｌ”は種々のネットワーク要素により実現され得る。
【００４８】
“Ｃｏｎｔｅｎｔ  ｃｈａｒｇｉｎｇ”の場合にはコンテンツサーバーがそれらの支払要求をＩＭＳに送ることができ、そこでそれらがＳＩＰメッセージフローの経路を経てＳ-ＣＳＣＦに送られる。そこから次いで支払要求はプリペイドサーバーに送られ、それらに標識が付加される。
【図面の簡単な説明】
【００４９】
【図１】本発明による方法を実施するための実施例の説明図。
【図２】本発明による別の方法を実施するための実施例の説明図。
【符号の説明】
【００５０】
１  アクセス網
２  サービス網
５  通信端末装置
７  サービスサーバー
８  ＳＩＰ接続
９  接続
１２  利用データ接続
１４  ルータ
１６  ルータ
１８  決済メッセージ
２０  決済ユニット
２２  決済メッセージ
３０  アクセス網メッセージ
３２  サービス網メッセージ
Ｄ  サービス利用希望
Ｋ  標識
Ｉ−ＫＥＧ  識別特徴
Ｖ  接続
ＳＧＳＮ  第１の検出ノード
Ｓ−ＣＳＣＦ  第２の検出ノード
ＳＩＰ−ＡＳ  決済装置
【国際公開パンフレット】
2005503094.tif 000003
2005503094.tif 000004
2005503094.tif 000005
2005503094.tif 000006
2005503094.tif 000007
2005503094.tif 000008
2005503094.tif 000009
2005503094.tif 000010
2005503094.tif 000011
2005503094.tif 000012
2005503094.tif 000013
2005503094.tif 000014
2005503094.tif 000015
2005503094.tif 000016
2005503094.tif 000017
2005503094.tif 000018
2005503094.tif 000019
2005503094.tif 000020
2005503094.tif 000021
2005503094.tif 000022
2005503094.tif 000023
2005503094.tif 000024
2005503094.tif 000025
2005503094.tif 000026
2005503094.tif 000027
2005503094.tif 000028
2005503094.tif 000029
2005503094.tif 000030
2005503094.tif 000031
2005503094.tif 000032
【国際公開パンフレット（コレクトバージョン）】
2005503094.tif 000033
2005503094.tif 000034
【国際調査報告】
2005503094.tif 000035
2005503094.tif 000036
2005503094.tif 000037
2005503094.tif 000038
2005503094.tif 000039
2005503094.tif 000040